(57)【要約】【課題】  紐を引くことで、袋体の開口部を閉じることのできる引き閉じ袋を提供する。【解決手段】  少なくても前後で対面する寄り壁９を有する袋体１に於いて、該寄り壁９の上部へ紐２を通す紐穴３を設け、正面の紐穴３から出た紐２の端を対面する背面の紐穴３に通し、該紐２の端を留め部４で固定し、紐２の持ち域５を引くことで袋体１の開口部６が閉じ、紐穴３の隣へ副穴７を設け、持ち域５を持ち易い位置へ出し、袋体１の上部を袋折して袋折部８を設け、該袋折部８に紐穴３を設け、副穴７によって袋体１の外へ出た持ち域５は持ち易い位置へ出ており、紐穴３が袋折部８に位置しているので、袋体１を開口して引き出されて長くなった渡り域１０は袋折部８の上に乗っているので、袋体１からの出し入れ作業を、渡り域１０が邪魔することなく行える。【選択図】  図１
2012001250.tif 000002
【特許請求の範囲】
【請求項１】
少なくても前後で対面する寄り壁９を有する袋体１に於いて、該寄り壁９の上部へ紐２を通す紐穴３を設け、一方の紐穴３から出た紐２の端を他方の紐穴３に通し、該紐２の端を留め部４で固定し、紐２の持ち域５を引くことで袋体１の開口部６が閉じることを特徴とする引き閉じ袋。
【請求項２】
紐穴３の隣へ副穴７を設け、持ち域５を持ち易い位置へ出したことを特徴とする、請求項１記載の引き閉じ袋。
【請求項３】
寄り壁９の上部を袋折して袋折部８を設け、該袋折部８に紐穴３を設けたことを特徴とする、請求項１又は請求項２記載の引き閉じ袋。
【発明の詳細な説明】
【技術分野】
【０００１】
本発明は、紐で開口部を閉じることのできる袋または鞄に関する。
【背景技術】
【０００２】
従来の開口部閉じ袋は、取手穴３と滑穴４との間に紐止１３を設けており、紐２の取手域６を引いて架け域７を引き込んで開口部９を閉じる場合、紐止１３を有さない側の取手域６を引く構造であった。
【先行技術文献】
【特許文献】
【０００３】
【特許文献１】特開２０１０−１１１４１２号
【発明の概要】
【発明が解決しようとする課題】
【０００４】
取手域である持ち域の引き出す側を限定せずに、持ち域をそのまま引き出すだけで、開口部が自然に閉じる引き閉じ袋を提供する。
【課題を解決するための手段】
【０００５】
紐穴と副穴との間に留め部を設けるのではなく、紐を二本一組で用い、紐穴から出た紐の端を対岸の紐穴へ挿入して、該対岸の紐穴内に留め部を設け、紐の端を固定し、他方の紐に於いても、面対象で同様の通し方と固定を行う。
【発明の効果】
【０００６】
一方の紐穴から出た紐の端を対岸の他方の紐穴へ挿入して固定し、前記の取り付け構造を面対象で行っており、紐の持ち域を引き出せば、両岸の紐穴どうしが引き合って接近するので、持ち域を均等にそのまま引き出すだけで開口部は自然に閉じる。
【図面の簡単な説明】
【０００７】
【図１】要部透視正面斜視図。（実施例１）
【図２】開口状態側方上面斜視図。
【図３】閉じ状態側方上面斜視図。
【図４】閉じ状態正面斜視図。
【図５】閉じ過程要部透視正面斜視図。（実施例２）
【図６】開口状態要部透視正面斜視図。（実施例３）
【図７】要部透視正面斜視図。（実施例４）
【発明を実施するための形態】
【０００８】
二本一組の紐を用い、一方の紐穴から出た紐の端を対岸の他方の紐穴へ挿入し、挿入された該紐端に留め部を設けて固定し、一方の紐の持ち域を引き出すことで紐の端が一方の紐穴へ引き込まれ、正面と背面で対面する紐穴どうしが接近することで、袋体の開口部が閉じる構造を実現した。
【実施例１】
【０００９】
図１から図４までは実施例１であり、以降は図面単位で説明することにする。図１は、要部透視正面斜視図であり、透視領域は破線で表示する。袋体１の形状は限定ではなく、少なくても前後で対面する寄り壁９を有しており、底板は有しているのが通常なので、底板の図示を省略する。袋体１の素材は限定ではなく、紙、織り布、不織布、皮革、人工樹脂であっても良い。紐２の素材は限定ではなく、市販の紐を用いるのであり、捩じり紐でも対応できるが、紐穴３と擦れ合うことから、組紐が望ましい。接合や合着構造は限定ではなく、接着、粘着、溶着、縫合、嵌合などのいずれかであっても良く、不織布を素材の代表にしているので、縫合を代表にして説明する。
【００１０】
同長同幅の紐２を二本一組で用い、紐通しは前後の線対称で行う。紐２の中央領域を持ち域５とし、紐２両端の各々を左右に面対象で有する紐穴３から外へ出し、紐穴３から外へ出た紐２の端領域を渡り域１０とし、該渡り域１０の端は開口部６を跨ぐ対岸に有する他方の紐穴３へ挿入し、該挿入域の端に留め部４を設けて、該留め部４は紐穴３で塞ぎ止められて外へ抜け出るのを防止する。該留め部４の形成は、紐２の端を丸結びしても良いし、従来技術である別具、商品名カンタッグを取り付けても良く、図面では丸結びを意味する破線の丸で図示する。
【００１１】
袋体１の上部を内側へ袋折し、袋折した稜線部分を袋折部８とし、袋折して開口部６内へ折り込まれている領域を返し帯１１とする。紐穴３は袋折部８の線上に有していることが望ましく、紐穴３が袋折部８の線上に有している場合は、渡り域１０を外へ出すことで持ち域５は袋折部８の内面に潜む構造になって摘み難い位置にあり、紐穴３の隣へ副穴７を設け、該副穴７から持ち域５を外へ出す事で摘み易い位置になる。
【００１２】
一方の紐２の通し過程を述べるならば、紐２の中央領域を持ち域５とする両端を外から正面の副穴７へ通して正面の紐穴３から外へ出し、正面の紐穴３から外へ出た渡り域１０を背面対岸の紐穴３へ外から挿入し、該挿入域の端へ留め部４を設けて紐穴３から抜け出るのを塞ぎ止める。他方の紐２に於いても、前記通し過程を前後の面対象で行う。
【００１３】
図２は、開口状態側方上面斜視図であり、本件発明物は左右対称であることから、左右の区別はしないことにする。紐２は境目の無い細長い形状であるが、説明を円滑にする目的から領域に名称を付けており、該領域の長さは自在に変更される。紐２の中央領域を持ち域５とし、該持ち域５の両側を副穴７に挿入し、挿入先に位置する隣の紐穴３から抜け出し、該抜け出し領域を渡り域１０とし、該渡り域１０の先を対岸で対面する他方の紐穴３に挿入し、該挿入された渡り域１０の先に留め部４を設け、該留め部４は紐穴３の直径よりも明らかに大きく、場合によっては長いことから、渡り域１０の先が抜け出るのを塞き止めて固定している。
【００１４】
留め部４の形成は、紐２の端部を丸結び、棒状ストッパーであるカンタッグ（商品名）で行うのが望ましいのであるが、縫合や接着、溶着であっても良い。紐穴３と副穴７は円形の打抜きによって設けるのが望ましいが、鳩目によって補強しても良く、該鳩目は金属製、又は人工樹脂製であっても良い。渡り域１０は、開口部６を跨いで対岸へ渡っているから渡り域の名称にしている。袋体１には底板１２を有しており、袋体１自体は従来から公知の形状であることから、部分透視図では底板１２の表示を省略している。
【００１５】
図３は、閉じ状態側方上面斜視図であり、開口部６が閉じられる行程を述べるならば、持ち域５の双方を外側へ引き出し、副穴７から持ち域５を引き出すことで、渡り域１０は紐穴３へ引き込まれて短くなり、該渡り域１０が短くなるに連れて、留め部４で固定された対岸の紐穴３どうしが接近し、該紐穴３どうしの接近によって開口部６の縁どうしが接近して閉じる。
【００１６】
図４は、閉じ状態正面斜視図であり、引き出されて長くなった持ち域５を、手で握って持つ手提げ袋の他、ヒジに掛けたり、肩掛けにしたりして使用する。持ち域５の根元と渡り域１０は寄り壁９の上辺である袋折部８に有しているので、寄り壁９の面積が広くなり、広くなった寄り壁９に絵や刺繍などを施して美観を向上させることができる。寄り壁９の上辺が袋折部８によって袋折され、延設された返し帯１１が袋体１の内面へ垂れ下がっているので、持ち域５の吊下げによって袋折部８が屈折するのを防止しており、開口部６の両岸を沿わせた状態で閉じることができる。返し帯１１の上下幅は適宜であり、返し帯１１の下辺は、切り縁であっても良いし、袋折であっても良い。
【実施例２】
【００１７】
図５は、実施例２を示す閉じ過程要部透視正面斜視図であり、実施例２では副穴７を有していない。寄り壁９上辺の袋折部８より適宜に下方へズレた領域へ紐穴３を貫通させて設けることで、持ち域５を外へ出すことができ、持ち域５を外へ出す副穴７は無くても対応できる。
【００１８】
実施例２の場合は渡り域１０が袋体１の内部に位置することになり、正面の紐穴３から内側へ挿入された渡り域１０の端は背面対岸の紐穴３へ通され、該渡り域１０の端は留め部４によって塞き止められる。該留め部４は寄り壁９の外へ出ていても良いが、見た目を重視するならば、返し帯１１と寄り壁９との隙間へ留めることが望ましい。
【００１９】
従来の手提げ紙袋は、持ち域５と同じ面に有する紐穴３で留め部４を設けて固定していたが、渡り域１０を設けて対岸の紐穴３へ留め部４を設けて固定すれば、実施例２と同じ構造になる。
【実施例３】
【００２０】
図６は、実施例３を示す開口状態要部透視正面斜視図であり、背部の紐だけを正面へ通した状態で図示しており、正面の紐を背部へ通す場合に於いても、背部の紐同様に行う。紐２は実施例１と実施例２では、断面の丸い丸紐が望ましいのであったが、実施例３に於いては、丸紐であっても良いが、断面の平たいテープ状の平紐１３であることが望ましい。
【００２１】
紐２を平紐１３に変更した場合、紐穴３と副穴７は円形よりも矩形や直線切込、場合によっては扁平な凸レンズ形状であることが望ましく、袋体へ短い切込を入れて扁平な穴を形成しても良いが、寄り壁９の上辺と平行に通し帯１４を取り付け、該通し帯１４の隙間を扁平な穴とすることが望ましい。該通し帯１４は、両端を垂直方向へ合着、望ましくは縫合した単室の隙間を有する構造であっても良いが、両端から適宜に内側へ入った箇所を垂直方向へ縫合して三室の隙間を形成することが望ましく、該三室の隙間に於いて、両端の室を管室１５とし、中央の室を取手室１６とすることが望ましい。又、場合によっては、中央の取手室１６を設けずに、管室１５だけであっても良い。
【００２２】
管室１５には平紐１３を通し、該管室１５から下へ出た平紐１３の中央領域を持ち域５とする。管室１５の上下縁は凸レンズ状の扁平な穴形状であり、管室１５の上縁を紐穴３とし、管室１５の下縁を副穴７とする。
【００２３】
平紐１３の取付部１７の構造は限定ではなく、寄り壁９へ単独で取り付けた構造で図示しているが、通し帯１４の下へ挟み込んでも良く、通し帯１４の端へ連接しても良い。
【実施例４】
【００２４】
図７は実施例４を示す要部透視正面斜視図であって、解り易く説明する目的で一本の紐を右から通した状態にあり、残りの紐に於いては、右同様に左から通す。袋体１の形状は限定ではなく、図７に於いては直方体の袋体１にし、前後の寄り壁９の水平横へ側壁１８を連接し、該側壁１８は中央を垂直に縦断する屈線１９によって折れ曲がる。
【００２５】
紐２の通し方は、中央を渡り域１０とする両端を右前後の紐穴３へ外から通し、右前後の副穴７から外へ出し、副穴７から外へ出た領域を持ち域５とし、該持ち域５に把持具２０を取り付けることが望ましく、該持ち域５の左端を左の副穴７へ通し、通された紐２の左端に留め部４を設けて固定する。左から通される紐に於いても、右から通された紐２同様に行う。
【００２６】
実施例４では持ち域５が交差する構造であり、該交差領域は把持具２０の箇所で行われることから、把持具２０を管形状で図示しているが、管形状に限定しなくても良く、把持具２０の両端にフックや穴などの固定部を有する形状であっても良い。該固定部を有する把持具２０にした場合、留め部４を副穴７で設ける必要がなく、把持具２０に有する固定部で留め部４を固定しても良く、該把持具２０の固定部で留め部４を固定するならば、持ち域５を交差させる必要もなくなる。
【産業上の利用可能性】
【００２７】
本発明は、不織布、人工樹脂などを素材とする袋での実施を目的としているが、紙、和紙などの袋、立方体を含む直方体の手提げ紙袋にも応用でき、織り布、皮革を素材にすれば、高級な鞄、バッグにも応用できる。
【符号の説明】
【００２８】
１  袋体
２  紐
３  紐穴
４  留め部
５  持ち域
６  開口部
７  副穴
８  袋折部
９  寄り壁
【図１】
2012001250.tif 000003
【図２】
2012001250.tif 000004
【図３】
2012001250.tif 000005
【図４】
2012001250.tif 000006
【図５】
2012001250.tif 000007
【図６】
2012001250.tif 000008
【図７】
2012001250.tif 000009